(57)【要約】【課題】  複数の外部音源機器と各別に同時に接続し各外部音源機器が有する異なる内容の音声情報や楽曲を任意に選択して組み合わせ同時に聴取できるヘッドホンの提供。【解決手段】  ヘッドホンの本体内ハウジング部に複数の外部音源機器と各別に対応させて接続すべき複数もしくは複数組のスピーカーユニットを設け、これら各別に対応させて接続すべき各外部音源機器の接続部と各スピーカーユニットの接続端子を各別の接続コードで結ぶと共に、この接続コードの中間部適宜位置にボリュームコントロールやオンオフスイッチなど外部音源機器の出力信号を調整する操作手段を各接続コード毎に独立して介設する。【選択図】図３
2011087335.tif 000002
【特許請求の範囲】
【請求項１】
耳介もしくは外耳道開口に押接して利用する本体内のハウジング部に外部音源機器の電気信号を音声信号に変換するスピーカーユニットを有すると共に一端を該スピーカーユニットの端子部に接続し他端に所望の外部音源機器と電気的に接続するためのコネクタを備えた接続コードを配してなるヘッドホンであって、前記本体内のハウジング部に複数の外部音源機器と各別に接続すべき複数もしくは複数組のスピーカーユニットを設けると共に、前記複数もしくは複数組のスピーカーユニットのそれぞれを前記接続すべき外部音源機器と電気的に接続するためのコネクタを備えた各別の接続コードを配してなることを特徴とするヘッドホン。
【請求項２】
前記接続コードの中間部適宜位置にボリュームコントローラーやオンオフスイッチなど前記複数の音源機器の電気信号を各別に独立して調整操作するための手段が介設されてなることを特徴とする請求項１記載のヘッドホンである。
【発明の詳細な説明】
【技術分野】
【０００１】
本発明は、ヘッドホン（イヤホンを含む）、さらに詳しくは、複数の音源機器と同時に各別に接続して各音源機器から得られる異なる内容の音声情報や楽曲を任意に選択し組み合わせて同時に聴取することができるようにしたヘッドホンに関する。
【背景技術】
【０００２】
イヤホンを含むヘッドホンは、外部音源機器から入力した電気信号を音声情報や楽曲などの音声信号に変換し耳介もしくは外耳道開口に押接して聴取する装置で、本体内の中空のハウジング部に外部音源機器が出力した電気信号を音声信号に変換し空気振動として伝搬するスピーカーユニットを有し、一端を本体内のスピーカーユニットの端子に接続し他端に外部音源機器と着脱自在に接続するためのプラグやジャックなどコネクタ類を持つ接続コードを備えている。
【０００３】
ヘッドホンは、古くは、性能の低い無線通信機やラジオ受信機が提供する微弱な音声信号を外音の影響を遮断して聴取するために開発利用されたものであるが、外部開放空間への音声信号の伝搬（いわゆる音漏れ）や外音からの影響を抑制ないし遮断した気兼ねのない個人的聴取を可能にする特性が評価された結果、各種音源機器における電気信号から音声信号への変換と増幅伝搬の能力が格段に向上して外部スピーカーによる聴取に支障がなくなった後もその利用は大きな拡大を見せ、携帯容易な各種小型音源機器の普及と浸透−特に、ｉＰｏｄ（登録商標）に代表されるデジタルオーディオプレイヤーや動画静止画像のデジタル再生機器などの飛躍的な音質向上と容量の増加、デジタルボイスレコーダーによる各種音声情報の日常的収録利用−の結果、屋内屋外を問わずヘッドホンによる音源機器の聴取利用はめざましく進み既に日常生活の中に定着していると言ってよい。
【０００４】
このように、ヘッドホンは外音の影響や外部への音漏れを抑制する遮音性によって現在の幅広い利用をみるに至ったが、逆にこの特性に起因する一つの問題点も指摘されこれを解決するヘッドホンの開発提供も求められている。
【０００５】
すなわち、図５に示す如く、従来のヘッドホンでは外部音源機器との一対一対応が絶対的な前提とされ、耳介や外耳道開口に押接して利用するヘッドホン１の本体１１内ハウジング部１５には単一の外部音源機器と対応すべき一つまたは一組のスピーカーユニット１３が設けられるに止まっており、ジャック２などのコネクタ類を備えた一本の接続コード１４を介してスピーカーユニット１３と対応する単一の外部音源機器を接続し、その音源機器が提供する音声情報や楽曲を聴取するよう構成されており、当然ながら一つのヘッドホンによって聴取できる音源機器は一つに限られ複数の音源機器が提供する異なる内容の音声情報や楽曲を一つのヘッドホンで同時に聴取することはできない。
【０００６】
しかし、小型軽量化によって多種多様な音源機器が日常的に携行利用され、デジタル化による容量の飛躍的増大で大量且つ多種類の音声情報や楽曲を保存集積して常時聴取できる現在、例えばボイスレコーダーに収録した講演内容やＦＭトランスミッターを介して受信し或いはオーディオプレーヤーに保存した外国語講座の音声情報を他のオーディオプレーヤーに保存集積した好みの楽曲と任意に組み合わせて同時に聴取したいなどの要望は決して少なくない。
【０００７】
もちろん、外部音源機器とスピーカーユニットの一対一対応はヘッドホンに固有のものではなくスピーカー一般に共通するものであるが、開放空間へ音声信号を増幅して伝搬させるスピーカーであれば複数の異なる音源機器と各別に接続された複数組のスピーカーを稼働させることで各スピーカーの異なる音声情報や楽曲の全てを同時に聴取できるが、遮音性の高いヘッドホンをいくつ用意しても複数のヘッドホンを同時に装着して複数の音源機器の異なる音声情報や楽曲を同時に聴取することはできず、また接続コード端末のコネクタ類を分岐させても複数音源機器の切り替え利用が容易になるだけで要望されている同時聴取に応えることはできない。
【０００８】
また、高機能のデジタル編集機器を用いれば複数の音源機器の異なる音声情報や楽曲を編集機器に同時に入力し単一のヘッドホンへ即時に出力することも可能であるが、これらデジタル編集機器の自在な操作は一般の音源機器利用者にとって容易でない上に、同時聴取の要望は小型軽量で携行性の高い普及型の外部音源機器による容易で簡便な操作を前提としているから、大型で携行性が悪く出力機器側の高度で複雑な操作に大きく依存するこの種デジタル編集機器によって同時聴取の要望に応えることはできない。
【０００９】
さらに、比較的簡易な編集ソフトを利用することでパソコンによって複数の音源機器の異なる音声情報や楽曲を組み合わせ或いは重ねて事前編集することも可能であるが、これは音源機器とヘッドホンの一対一対応利用に他ならず、事前編集の処理が面倒であるばかりでなく、聴取時の状況や気分に応じて複数音源機器の異なる音声情報や楽曲を任意に選択し組み合わせて同時に聴取したいとする要望とは全く相容れず、聴取時に各音源機器のいずれか一つの音声情報や楽曲の音量などを増減し或いは停止や再開を他の音源機器とは独立して随意に操作することもできない。
【００１０】
なお、かつては、ヘッドバンドなどの係止手段を備え耳介の全体を覆って押接利用する大径のものをヘッドホン、外耳道に挿入するイヤプラグを備え本体を外耳道開口部の係止位置に保持して押接する小径のものをイヤホンと称したりもしたが、現在ではヘッドバンドを備えずフックで耳介に係止して利用する小径の所謂ヘッドホンや、イヤプラグを備えず耳介の軟骨突起に係止することで本体を外耳道開口部に押接位置させる所謂イヤホンなどが多数提供されて両者の明確な境界が失われた結果、これら聴取装置の全てをヘッドホンと総称することが多くなっている。本明細書においてもこれに従った用語法を採っており、本明細書において用いる「ヘッドホン」の語は所謂ヘッドホンとイヤホンの全てを対象として含むものとする。
【先行技術文献】
【特許文献】
【００１１】
【特許文献１】特開２００５−２７８１７７号公報
【特許文献２】特開２００５−３５４５６０号公報
【特許文献３】特開２００８−２５９１５７号公報
【発明の概要】
【発明が解決しようとする課題】
【００１２】
本発明の課題は、複数の外部音源機器と各別に同時に接続し各外部音源機器から入力する電気信号を音声信号に変換した異なる内容の音声情報や楽曲を任意に選択して組み合わせ同時に聴取することができ、さらには同時に聴取している各音外部音源機器の異なる内容の音声情報や楽曲の音量の増減や停止再開を聴取の最中に独立して随意に操作することも可能なヘッドホンを実現し提供するところにある。
【課題を解決するための手段】
【００１３】
請求項１の発明は、耳介もしくは外耳道開口に押接して利用する本体内のハウジング部に外部音源機器の電気信号を音声信号に変換するスピーカーユニットを有すると共に一端を該スピーカーユニットの端子部に接続し他端に所望の外部音源機器と電気的に接続するためのコネクタを備えた接続コードを配してなるヘッドホンであって、前記本体内のハウジング部に複数の外部音源機器と各別に接続すべき複数もしくは複数組のスピーカーユニットを設けると共に、前記複数もしくは複数組のスピーカーユニットのそれぞれを前記接続すべき外部音源機器と電気的に接続するためのコネクタを備えた各別の接続コードを配してなることを特徴とするヘッドホンである。
【００１４】
請求項２の発明は、前記接続コードの中間部適宜位置にボリュームコントローラーやオンオフスイッチなど前記複数の音源機器の電気信号を各別に独立して調整操作するための手段が介設されてなることを特徴とする請求項１に記載のヘッドホンである。
【発明の効果】
【００１５】
以上のように、本発明に係るヘッドホンによれば、ヘッドホンの本体内に複数の外部音源機器と各別に接続すべき複数もしくは複数組のスピーカーユニットを設け、これら接続すべき各外部音源機器とスピーカーユニットを各別の接続コードで接続してなるから、各外部音源機器と各スピーカーユニットを同時に接続し異なる内容の音声情報や楽曲を任意に選択し組み合わせて一つのヘッドホンで同時に聴取することができると共に、接続コードの中間部に介設した調整操作手段をもって同時に聴取している異なる内容の音声情報や楽曲の音量の増減や停止再開などを聴取利用の最中に各別に独立して調整操作することもできる。
【図面の簡単な説明】
【００１６】
【図１】本発明に係るヘッドホンの一例を示す断面図である。
【図２】本発明に係るヘッドホンの他の例を示す断面図である。
【図３】本発明に係るヘッドホンの実施の態様を示す正面図である。
【図４】本発明に係るヘッドホンの実施の態様を示すブロック図である。
【図５】従来のヘッドホンを示す断面図である。
【発明を実施するための形態】
【００１７】
本発明は、調達容易な部品を用い、特段の製造工数やコストの増加を伴うことなく、これまでになかった複数の外部音源機器に各別に同時に接続して異なる内容の音声情報や楽曲を任意に選択して組み合わせ同時に聴取することのできるヘッドホンを実現した。
【実施例１】
【００１８】
図１は本発明に係るヘッドホンの一実施例を示すものであり、図３並びに図４はその実施の一態様を示すものであって、図示実施例には外耳道にイヤプラグ１２を挿入して聴取利用する所謂イヤホン型のヘッドホンであって、右耳用と左耳用の一対の本体部分を持つステレオタイプないしハイファイタイプのヘッドホンである。
【００１９】
本実施例に係るヘッドホン１においては、本体１１内部に形成された中空のハウジング部１５に複数の異なる外部音源機器と各別に接続して入力された電気信号を聴取可能な音声信号に変換するためのダイナミック型の第１スピーカーユニット１３aと第２スピーカーユニット１３bの二つのスピーカーユニットが僅かにイヤプラグ方向へ傾く角度を付与された略平行位置に嵌設されており、それぞれのスピーカーユニット１３a、１３bの接続端子にはスピーカーユニット１３a、１３bのそれぞれが各別に対応すべき異なる外部音源機器と接続するための第１接続コード１４aと第２接続コード１４bの一端が接続固定され、ヘッドホン１の本体１１の外部に展張するよう配設された各接続コード１４a並びに１４bの開放側の端部には各外部音源機器の接続部に挿入して接続する第１接続ジャック２aと第２接続ジャック２bが設けられている。（図１参照）
【００２０】
図３および図４に示す通り、左右一対のヘッドホン１の本体１１内に嵌設された第１スピーカーユニット１３aおよび第２スピーカーユニット１３bと複数の異なる外部音源機器（第１外部音源機器４aおよび第２外部音源機器４b）を各別に接続する第１接続コード１４aと第２接続コード１４bは、外部音源機器との接続用コネクタである第１接続ジャック２aと第２接続ジャック２bを設けた開放端部側においては各一本に分岐され、中間部方向の適宜位置で平行状態に被覆されているが、左右一対の本体１１内に嵌設した二組の第１スピーカーユニット１３aおよび第２スピーカーユニット１３bそれぞれの端子部分と接続固定するため、ヘッドホン１本体１１方向の適宜位置で各１本の第１接続コード１４aと第２接続コード１４bを各２本ずつに分岐させ、一組の第１接続コード１４aと第２接続コード１４bそれぞれの各他端部を左耳用の本体１１内に嵌設された第１スピーカーユニット１３aと第２スピーカーユニットの端子部分に接続し、他の一組の第１接続コード１４aと第２接続コード１４bそれぞれの各他端部を右耳用の本体１１内の第１スピーカーユニット１３aと第２スピーカーユニットの端子部分に接続している。
【００２１】
また、図３並びに図４に示す実施の態様においては、各外部音源機器４a並びに４bと二組の各スピーカーユニット１３aおよび１３bを接続する第１接続コード１４aと第２接続コード１４bの中間部適宜位置にボリュームコントローラー３を介設し、調整ダイヤルを持つ第１ボリューム３aと第２ボリューム３bのそれぞれを各接続コード１４aと１４bに各別に接続している。（なお、本実施例では、ボリュームコントローラー３の介設位置において、開放端側では各１本ずつであった第１接続コード１４aと第２接続コード１４bを各２本ずつに分岐させている。）
【００２２】
本実施例に係るヘッドホンは以上の構成を有し、図示された実施の態様のごとく用いられるものであるから、異なる二つの外部音源機器４aおよび4bから出力された異なる電気信号はそれぞれに対応するよう接続された異なるスピーカーユニット１３aと１３bで各別に音声信号に変換されるから、各スピーカーユニット１３aと１３bを嵌設した左右一対の本体１１を有する一つのヘッドホン１を装着するだけで、任意に選択して組み合わせた２種類の異なる内容の音声情報や楽曲を同時に聴取して楽しむことができる。
【００２３】
また、本実施例に係るヘッドホンでは外部音源機器４a、4bとスピーカーユニット１３a、１３bを結ぶ２種類の接続コード１４a、１４bの中間位置に各接続コードを介して出力されている電気信号を各別に独立して調整操作し各スピーカーユニット１３a、１３b側で得られる音声信号の音量を任意に増減するボリューム３a、３bを設けているから、例えば、ボイスレコーダーに収録した講演の音声情報の背後にデジタルオーディオプレイヤーの楽曲を流して同時聴取していて講演の重要な音声情報部分に集中したくなった場合、楽曲の音量だけを最低度まで下げ或いは講演部分の音量だけを上げることができるなど、状況と時宜に応じた随意の調整利用が可能になっているから同時聴取の要望を真に適えるものとなっている。
【００２４】
なお、本実施例では、ヘッドホン１の本体１１内に形成されたハウジング部１５に嵌設するスピーカーユニット１３a、１３bとして、振動板を取り付けたボイスコイルの中空部に永久磁石を配し永久磁石の磁界内にあるボイスコイルに電気信号を与えて振動させるダイナミック型のスピーカーユニットを用いたが、説明のための便宜に過ぎずあらゆるタイプのスピーカーユニットを用いて実施できることは言うまでもない。図２は他のタイプのスピーカーユニットを用いた一例を示すもので、圧電セラミックに金属板を貼着して振動薄膜としたクリスタル型のスピーカーユニット１３a、１３bを用いており、ダイナミック型のスピーカーユニットより薄く小形なものを利用できることから、楽曲再生に適した相対的に大形な第２スピーカーユニット１３bの中心前方位置に音声情報再生に適した小形な第１スピーカーユニット１３aを配置する同軸形態に嵌設している。
【００２５】
また、本実施例では外部音源機器４a、４bと各スピーカーユニット１３a、１３bを結ぶ接続コード１４a、１４bの中間位置にボリュームコントローラー３を介設するに止めているが、オンオフスイッチなど各接続コード１４a、１４b毎に独立して機能させるその他の調整操作手段を付設することも任意であり、本発明で開示した範囲に含まれる関係にある。
【００２６】
さらに、本実施例は、異なる音声情報や楽曲を同時聴取するためのスピーカユニット１３a、１３bを２種類とし、二つの外部音源機器に対応するものとしたが、この数に特段の意味はない。技術的には３種類以上のスピーカーユニットを設けて三つ以上の外部音源機器に対応することも可能であり、現実的な要望や利点があるか否かは別段、これらを排するものではない。
【符号の説明】
【００２７】
１  ヘッドホン
２  接続ジャック
２ａ  第１接続ジャック
２ｂ  第２接続ジャック
３  ボリュームコントローラー
３ａ  第１ボリューム
３ｂ  第２ボリューム
４ａ  第１外部音源機器
４ｂ  第２外部音源機器
１１  本体
１２  イヤプラグ
１３  スピーカーユニット
１３ａ  第１スピーカーユニット
１３ｂ  第２スピーカーユニット
１４  接続コード
１４ａ  第１接続コード
１４ｂ  第２接続コード
１５  ハウジング部
【図１】
2011087335.tif 000003
【図２】
2011087335.tif 000004
【図３】
2011087335.tif 000005
【図４】
2011087335.tif 000006
【図５】
2011087335.tif 000007